(57)【要約】  【課題】僅かな費用で且つ格別の技術がなくとも簡単に製作でき、周辺環境も損なわない簡易で耐久性に優れた排便処理槽を提供する。  【解決手段】排便部と管路(5) を介して接続された排便処理槽(2) に関し、地面を掘削して得られる上面が開口し、深さが３〜４ｍ、幅が３〜４ｍ及び奥行きが２〜３ｍの直方形の掘削穴(3) の内側面に沿って１．５〜２．０ｍまで積み上げられた岩石を、砂利とセメントにより隙間を埋めながら塗り固めて内壁面を形成する。前記掘削穴(3) の底面には砂利と砂との混合材料(8) が２〜３ｃｍの高さに敷設され、前記掘削穴(3) の開口をガス排出孔(6a)を有するコンクリート製又はプラスチック製の蓋(6) により閉塞する。前記ガス排出孔(6a)にはパイプが挿通固定される。  【選択図】図２
2006271577.tif 000002
【特許請求の範囲】
【請求項１】
排便部と管路を介して接続されてなる排便の処理槽であって、
地面を掘削して得られる上面が開口し、深さが３〜４ｍ、幅が３〜４ｍ及び奥行きが２〜３ｍの直方形の掘削穴の内側面に沿って１．５〜２．０ｍまで積み上げられた岩石を、砂利とセメントにより固めて内壁面が形成され、
前記掘削穴の底面には砂利と砂が２〜３ｃｍの高さに敷設され、
前記掘削穴の開口はガス排出孔を有するコンクリート製又はプラスチック製の蓋体により閉塞されてなる、
ことを特徴とする排便処理槽。
【請求項２】
前記岩石の最大長さは２０〜３０ｃｍであって、前記砂利の最大長さが２〜３ｃｍである請求項１記載の排便処理槽。
【請求項３】
前記蓋体も地中に埋設されてなり、前記蓋体のガス排出孔にはパイプが上方に突出して挿通一体化されてなる請求項１又は２記載の排便処理槽。
【発明の詳細な説明】
【技術分野】
【０００１】
本発明は、未開発国にて採用するに好適な便の処理槽に関し、特に格別の処理装置が不要で低価格にて簡単に製作できる簡易な構造をもつ排便処理槽に関する。
【背景技術】
【０００２】
未開発国では、トイレの設備がなく野外の適当な場所で排便などがなされ、そのままで放置しているのが普通である。例えば、東ティモールの一部の地域では、経済的な事情から未だにトイレのない生活を送っている。それが原因であるとばかりはいえないが、衛生面が劣悪な状態にあり、新生児や幼児などの死亡率も極めて高い。
【発明の開示】
【発明が解決しようとする課題】
【０００３】
経済的な理由から劣悪な環境下で生活を余儀なくされている、これらの人々を可能な限り改善された環境下で生活できるようにすることは、先進国の人々にとって当然の責務である。
本発明は、こうした劣悪な環境を改善する第１歩として、僅かな費用で且つ格別の技術がなくとも簡単に製作でき、周辺環境も害さない簡易で耐久性に優れた排便の処理槽を提供することを目的としている。
【課題を解決するための手段】
【０００４】
上記目的は、本発明の基本的な構成である、排便部と管路を介して接続されてなる排便の処理槽であって、地面を掘削して得られる上面が開口し、深さが３〜４ｍ、幅が３〜４ｍ及び奥行きが２〜３ｍの直方形の掘削穴の内側面に沿って１．５〜２．０ｍまで積み上げられた岩石を、砂利とセメントにより固めて内壁面が形成され、前記掘削穴の外部に露呈する底面の全面には砂利と砂が２〜３ｃｍの深さで敷設され、前記掘削穴の開口は一部に排ガス孔を有するコンクリート製又はプラスチック製の蓋により閉塞されてなることを特徴とする便の処理槽により効果的に達成される。好適な態様によれば、前記岩石の最大長さは２０〜３０ｃｍであって、前記砂利の最大長さが２〜３ｃｍであり、更に好ましくは前記蓋体も地中に埋設され、前記蓋体の排ガス孔にはパイプの上端部を地上に露呈させて挿通一体化されるいる。
【作用効果】
【０００５】
本発明の排便処理槽は、特に熱帯地方や亜熱帯地方に設置される。
上記構成を備えた本発明の排便処理槽は、使用する材料は岩石、砂利及び砂が主であって極めて安価であり、槽自体の製作も熟練工である必要がなく普通の住民の手を借りて製作すれば、日本円にして２万円弱の低価格にて製作できる。
【０００６】
この排便処理槽を使うには、排便部で排泄された排泄物に水をかけて管路を通して処理槽の内部へと流す。処理槽の内部に水と一緒に流れ込んだ排泄物は、砂利と砂が混じり合って敷設された処理槽底面で液分と固定物とに分離され、液分は砂利と砂との隙間を通って地面へと浸透し、分離された固形物は自然と乾燥して分解し粉末状となって、排泄時に流される水とともに底面の砂利と砂との隙間を通って、その下の地面に向けて流れ、長期の間に自然と土に戻る。この処理槽に流れ込んだ排泄物から発生するガスは、ガス放出用パイプを通って外気に放出される。
【０００７】
このとき放出されるガスが多少は臭気を放つが、周辺の環境に配慮するほどではない。また、パイプを除く処理槽の全体を地中に配するようにすると、周辺の地面と同様に草木が生えて、排便処理槽が設置されていることを意識することもなくなる。
【発明を実施するための最良の形態】
【０００８】
以下、本発明の代表的な実施の形態を図面に基づいて詳細に説明する。
図１は、本発明の排便処理槽を備えた排泄設備の概略を模式的に示している。同図によれば、図示せぬ排便部は建物１の中に配され、その排便部の周辺には同じく図示せぬ水槽などが配されている。建物１に隣接する地中に、地面を掘って作られた本発明の排便処理槽２が設置されている。
【０００９】
図２は、本実施形態による地中に埋設された排便処理槽２の槽内の構成を示す経断面図であり、図３は同処理槽２の蓋６を外したときの上面図、図４は同処理槽の内壁を形成する岩石４の積上げ状態と砂利及び砂の混合材料８からなる底部構造を破断して示す立体図である。
【００１０】
前記排便処理槽２は、地面を掘削して高さ３ｍ、幅が３ｍ、奥行きが２ｍの直方形の穴３が作られ、その周側面に最も長い部分で２０〜３０ｃｍの岩石４を４段積み上げてこれを砂利と砂とセメントを混ぜ合わせたものに水を入れて練り込んで塗り固める。このとき、穴３の底面中央部には、およそ幅が２．７ｍ、奥行きが１．７ｍ程の地肌部分が残る。この地肌部分に、砂利と砂とを混ぜ合わせた混合材料８を２〜３ｃｍの厚さとなるように敷きつめる。前記岩石４からなる側壁の上方の一部からは、上記建物１の中に配された図示せぬ上記排便部に接続する排便流路を構成する排泄管路５の出口側端部５ａが槽内に延出している。
【００１１】
また、本実施形態にあっては、前記穴３の上端開口部に段差をもたせて一回り大きな蓋載置部３ａを形成してある。この蓋載置部３ａに同形の蓋６を載置して穴３を閉塞する。前記蓋６は、コンクリート製又はプラスチック製であり、その一部に小孔６ａが貫通して形成され、同小孔６ａには排ガス用のプラスチック製のパイプ７が挿通されて固定されている。こうして穴３に被せられた蓋６の上面に、前記パイプ７の上端部が外部に露呈するようにして、周辺の地面と同じ面となるように土が被されて、本実施形態による排便処理槽２が完成する。
【００１２】
本発明による排便処理槽２の最も利点とするところは、一回製作して設置すれば、そのままの状態で使い続けられることであり、しかも内部に流れ込んだ排泄物を汲み上げたり、あるいは格別の処理を行わなくてよいことである。発明者の実験によれば、一家（４人）が長年（３年）使い続けたのちも、何ら補修せずに使用当初と変わらず安心して使うことができ、同時に周辺環境も清潔に保たれていて極めて衛生的であった。
【００１３】
その使用法は、排泄のあとに排泄物を水と一緒に流すと、排泄管路５を通って排便処理槽２に流れ込む。この流れ込む排泄物のうち、固形物を砂利と砂との混合材料が敷きつめられた表面に残して、液分は砂利と砂との間の間隙を通って地表へと流れて浸透し、砂利と砂との混合材料８が敷きつめられた表面に残された固形物は乾燥されて次第に粉体化して分解し、次の液分と一緒になって砂利と砂との間隙を通って地表へと達し、所要の期間で土に戻る。途中で発生するガスはパイプ７を通って槽外へと放出されるが、この排便処理槽２の設置地域の気候も手伝って周辺に迷惑を与えるほどの臭気を放散しないうちに乾燥して塊状となる。
【００１４】
なお、上記実施形態では、蓋６の上面に土を被せてあるため、自然に草木や花樹が生えて育ち、周辺環境に溶け込んで周辺環境を悪化せず、衛生面でも清潔さが維持される。しかしながら、蓋６が露呈しても構わない場合には、その上に土を盛る必要はない。また、穴３の大きさや形状、岩石４の大きさや積み上げ高さ、砂利と砂の敷設高さなどは、その設置地域の気候に合わせて変更が可能である。
【図面の簡単な説明】
【００１５】
【図１】本発明の排便処理槽を備えた排泄設備を模式的に示す正面図である。
【図２】本発明の代表的な実施の形態である排便処理槽の内部構造を示す縦断面図である。
【図３】同排便処理槽の蓋を外したときの平面図である。
【図４】同排便処理槽の内壁部と底部の構造を示す破断立体図である。
【符号の説明】
【００１６】
１                  建物
２                  排便処理槽
３                  掘削穴
３ａ                蓋載置部
４                  岩石
５                  排泄管路
５ａ                出口側端部
６                  蓋
６ａ                小孔
７                  パイプ
８                  砂利と砂との混合材料
【図１】
2006271577.tif 000003
【図２】
2006271577.tif 000004
【図３】
2006271577.tif 000005
【図４】
2006271577.tif 000006